(57)【要約】      （修正有）【課題】食器洗い組成物として好適であり、又は食器洗い組成物の製造用に好適であり、ガラス腐食を抑制又は効果的に減少させる組成物の提供。【解決手段】組成物の固体含有量に対して、（Ａ）メチルグリシンジ酢酸（ＭＧＤＡ）、グルタミン酸ジアセテート（ＧＬＤＡ）及びそれらの塩から選択される少なくとも一種の化合物を、合計で、１〜５０質量％の範囲、（Ｂ）亜鉛として記載される少なくとも一種の亜鉛塩を、合計で、０．０１〜０．４質量％の範囲、（Ｃ）エチレンイミンのホモ−又はコポリマーを、合計で、０．００１〜０．０４５質量％の範囲、及び（Ｄ）任意に、漂白剤を、０．５〜１５質量％を含む組成物。【選択図】なし【特許請求の範囲】
【請求項１】
それぞれの場合、それぞれの組成物の固体含有量に対して、
（Ａ）メチルグリシンジ酢酸（ＭＧＤＡ）、グルタミン酸ジアセテート（ＧＬＤＡ）及びそれらの塩から選択される少なくとも一種の化合物を、合計で、１〜５０質量％の範囲、
（Ｂ）亜鉛として記載される少なくとも一種の亜鉛塩を、合計で、０．０１〜０．４質量％の範囲、
（Ｃ）エチレンイミンのホモ−又はコポリマーを、合計で、０．００１〜０．０４５質量％の範囲、及び
（Ｄ）任意に、漂白剤を、０．５〜１５質量％
を含む組成物。
【請求項２】
前記組成物が、ホスフェート及びポリホスフェートを含まないことを特徴とする請求項１に記載の組成物。
【請求項３】
（Ｃ）が、直鎖状又は分岐状のエチレンイミンのホモポリマー及び、エチレンイミンのグラフトコポリマーから選択されることを特徴とする請求項１又は２に記載の組成物。
【請求項４】
前記亜鉛塩が、ＺｎＣｌ２、ＺｎＳＯ４、酢酸亜鉛、クエン酸亜鉛、Ｚｎ（ＮＯ３）２、Ｚｎ（ＣＨ３ＳＯ３）２及び、没食子酸亜鉛からなる群から選択されることを特徴とする請求項１〜３の何れか１項に記載の組成物。
【請求項５】
前記組成物が、室温で固体であることを特徴とする請求項１〜４の何れか１項に記載の組成物。
【請求項６】
前記組成物が、水を、０．１〜１０質量％の範囲で含むことを特徴とする請求項１〜５の何れか１項に記載の組成物。
【請求項７】
前記組成物が、酸素漂白剤及び塩素含有漂白剤から選択される漂白剤（Ｄ）を、０．５〜１５質量％含むことを特徴とする請求項１〜６の何れか１項に記載の組成物。
【請求項８】
食器及び調理器具を機械洗浄するための請求項１〜７の何れか１項に記載の組成物の使用方法。
【請求項９】
装飾されていてもよく、又は装飾されていなくてもよい少なくとも一つのガラス表面を有する物品を機械洗浄するための請求項１〜７の何れか１項に記載の組成物の使用方法。
【請求項１０】
前記機械洗浄が、食器洗い機を使用するウォッシング又はクリーニング動作であることを特徴とする請求項８又は９に記載の使用方法。
【請求項１１】
請求項１〜７の何れか１項に記載の少なくとも１種の組成物が、飲料用グラス、ガラス製の花瓶及び料理用のガラス製容器の機械洗浄のために使用されることを特徴とする請求項８〜１０の何れか１項に記載の使用方法。
【請求項１２】
（Ａ）メチルグリシンジ酢酸（ＭＧＤＡ）、グルタミン酸ジアセテート（ＧＬＤＡ）及びそれらのアルカリ金属塩から選択される少なくとも一種の化合物、
（Ｂ）少なくとも一種の亜鉛塩、
（Ｃ）少なくとも一種のエチレンイミンのホモ−又はコポリマー、
（Ｄ）及び、任意に、酸素漂白剤及び塩素含有漂白剤から選択される少なくとも一種の漂白剤、
及び、任意に他の成分が、水の存在下で、１つ以上の工程で互いに混合され、その後、前記水が除去されることを特徴とする請求項１〜７の何れか１項に記載の組成物の製造方法。
【請求項１３】
前記水が、噴霧乾燥、噴霧造粒又は圧縮によって除去されることを特徴とする請求項１２に記載の方法。
【発明の詳細な説明】
【技術分野】
【０００１】
本発明は、
それぞれの場合、それぞれの組成物の固体含有量に対して、
（Ａ）メチルグリシンジ酢酸（ＭＧＤＡ）、グルタミン酸ジアセテート（ＧＬＤＡ）及びそれらの塩から選択される少なくとも一種の化合物を、合計で、１〜５０質量％の範囲、
（Ｂ）亜鉛として記載される少なくとも一種の亜鉛塩を、合計で、０．０１〜０．４質量％の範囲、
（Ｃ）エチレンイミンのホモ−又はコポリマーを、合計で、０．００１〜０．０４５質量％の範囲、及び
（Ｄ）任意に、漂白剤を、０．５〜１５質量％
を含む組成物に関する。
【０００２】
本発明は、さらに、本発明の組成物の製造方法、及び食器洗い組成物、特に、食器洗い機用の食器洗い組成物としての又は食器洗い組成物、特に、食器洗い機用の食器洗い組成物を製造するためのその使用方法に関する。
【背景技術】
【０００３】
食器洗い組成物は、多くの要件を満たさなければならない。従って、それらは、食器を徹底的に洗浄しなければならず、それらは、どんな有害な又は有害となる可能性のある物質も廃水に含ませるべきではなく、それらは、食器から水を排水させ、乾燥させることを可能にさせるべきであり、それらは、食器洗い機の動作においていかなる問題も生じさせるべきではない。最後に、それらは洗浄される物品にどんな望ましくない美的効果も生じさせるべきではない。ここでは、特に、ガラス腐食（corrosion）が言及されるべきである。
【０００４】
ガラス腐食は、機械的影響（例えば、ガラスが互いに摩擦することによる、又はガラスが食器洗い機の一部と機械的に接触することによる）のみによって生じるのではなく、主に、化学的影響によっても引き起こされる。例えば、特定のイオンは、繰り返される機械洗浄によってガラスの外側に溶出され、それは、好ましくないことに、光学的及び、美的な特性を変化させる。
【０００５】
ガラスの腐食において、複数の影響が観察される。第一に、線状に目立つようになる微視的な細かいひびの形成が観察され得る。第二に、多くの場合、一般的な曇りが観察されることができ、例えば、粗くすることは、影響を受けたガラスの外観を魅力的でないものにする。そのような影響は、概して、玉虫色の変色、擦り傷の形成、連続し、環状の曇りに分類される。
【０００６】
ＥＰ２１１８２５４は、亜鉛塩が、ガラス腐食を防止するための抑制剤として、特定のビニルポリマーと組み合わせて使用され得ることを開示している。
【０００７】
ＥＰ０３８３４８２においては、ガラス腐食を減少させるために、１．７ｍｍ未満の粒径を有する亜鉛塩を使用することが提案されている。
【０００８】
ＷＯ０３／１０４３７０においては、ガラス腐食を防止するために、亜鉛含有シリケートコーティング剤を使用することが提案されている。
【０００９】
多くの食器洗い組成物が、ＵＳ５９８１４５６及びＷＯ９９／０５２４８から知られており、そこでは、変色又は腐食からカトラリーを守るために亜鉛塩又はビスマス塩が加えられ得る。
【００１０】
ＷＯ２００２／６４７１９は、エチレン性不飽和カルボン酸と、例えば、エチレン性不飽和カルボン酸のエステルとの特定のコポリマーが、食器洗い組成物において使用され得ることを開示している。
【００１１】
ＷＯ２０１０／０２０７６５は、ポリエチレンイミンを含む食器洗い組成物を開示している。そのような食器洗い組成物は、ホスフェートを含んでもよく、又はホスフェートを含まなくてもよい。ガラス腐食の良好な抑制剤は、これらによるものである。亜鉛及びビスマス含有食器洗い組成物は薦められない。
【００１２】
しかしながら、ガラス腐食、特に、線状の腐食及び曇りは、多くの場合、依然として十分に、その発生を遅れさせ、又は防止されていない。
【先行技術文献】
【特許文献】
【００１３】
【特許文献１】ＥＰ２１１８２５４
【特許文献２】ＥＰ０３８３４８２
【特許文献３】ＷＯ０３／１０４３７０
【特許文献４】ＷＯ２００２／６４７１９
【特許文献５】ＷＯ２０１０／０２０７６５
【発明の概要】
【発明が解決しようとする課題】
【００１４】
従って、目的は、食器洗い組成物として好適であり、又は食器洗い組成物の製造用に好適であり、先行技術の公知の短所を回避し、ガラス腐食を抑制し、又は少なくとも、特に効果的に減少させる組成物を提供することであった。他の目的は、食器洗い組成物として好適であり、又は食器洗い組成物の製造用に好適であり、先行技術の公知の短所を回避する組成物の製造方法を提供することであった。他の目的は、組成物の使用方法を提供することであった。
【００１５】
従って、上記で定義された組成物が発見され、本発明の組成物と省略される。
【００１６】
本発明の組成物は、合計で、１〜５０質量％の範囲で、メチルグリシンジ酢酸（ＭＧＤＡ）、グルタミン酸ジアセテート（ＧＬＤＡ）及びそれらの塩から選択される少なくとも一種の化合物（Ａ）を含み、本発明において化合物（Ａ）と省略される。
【００１７】
化合物（Ａ）は、酸を含まないものとして、又は好ましくは、部分的に又は完全に中和された状態で、すなわち、塩として存在してもよい。対イオンは、例えば、無機カチオン、例えば、アンモニウム又はアルカリ金属、特に好ましくは、Ｎａ＋、Ｋ＋又は有機カチオン、好ましくは一個以上の有機ラジカルで置換されたアンモニウム、特に、トリエタノールアンモニウム、Ｎ，Ｎ−ジエタノールアンモニウム、Ｎ−モノ−Ｃ１−Ｃ４−アルキルジエタノールアンモニウム、例えば、Ｎ−メチル−ジエタノールアンモニウム、又はＮ−ｎ−ブチルジエタノールアンモニウム、及びＮ，Ｎ−ジ−Ｃ１−Ｃ４−アルキルエタノールアンモニウムを含む。
【発明を実施するための形態】
【００１８】
本発明の実施形態の一つにおいては、化合物（Ａ）は、メチルグリシンジアセテート（ＭＧＤＡ）及びグルタミン酸ジアセテート（ＧＬＤＡ）及び好ましくはそれらの塩、特に、それらのナトリウム塩から選択される。非常に特に好ましくは、グルタミン酸ジアセテート（ＧＬＤＡ）、ＧＬＤＡのテトラナトリウム塩、メチルグリシンジアセテート及びＭＧＤＡのトリナトリウム塩である。
【００１９】
出発のアミノ酸アラニン又はグルタミン酸は、Ｌ−アミノ酸、Ｒ−アミノ酸、アミノ酸のエナンチオマー混合物、例えば、ラセミ化合物から選択されてもよい。
【００２０】
本発明の組成物は、合計で、０．０１〜０．４質量％の範囲の少なくとも一種の亜鉛塩（Ｂ）を含む。亜鉛塩（Ｂ）は、水に可溶な及び水に不溶な亜鉛塩から選択され得る。本発明においては、水に不溶と呼ばれる亜鉛塩（Ｂ）は、２５℃で、蒸留水に０．１ｇ／ｌ以下の溶解度を有する。従って、本発明においては、高い水溶性を有する亜鉛塩（Ｂ）は、水溶性の亜鉛塩と呼ばれる。
【００２１】
亜鉛塩の比率は、亜鉛又は亜鉛イオンとして記載される。このようにして対イオンの比率が計算されてもよい。
【００２２】
本発明の実施形態の一つにおいては、亜鉛塩（Ｂ）は、安息香酸亜鉛、グルコン酸亜鉛、乳酸亜鉛、ギ酸亜鉛、ＺｎＣｌ２、ＺｎＳＯ４、酢酸亜鉛、クエン酸亜鉛、Ｚｎ（ＮＯ３）２、Ｚｎ（ＣＨ３ＳＯ３）２、没食子酸亜鉛からなる群から選択され、好ましくは、ＺｎＣｌ２、ＺｎＳＯ４、酢酸亜鉛、クエン酸亜鉛、Ｚｎ（ＮＯ３）２、Ｚｎ（ＣＨ３ＳＯ３）２及び没食子酸亜鉛である。
【００２３】
本発明の他の実施形態においては、亜鉛塩（Ｂ）は、ＺｎＯ、ＺｎＯ水溶液、Ｚｎ（ＯＨ）２、及びＺｎＣＯ３から選択される。好ましくは、ＺｎＯ水溶液である。
【００２４】
本発明の実施形態の一つにおいては、亜鉛塩（Ｂ）は、１０ｎｍ〜１００μｍの範囲の平均粒径（質量平均）を有する亜鉛オキシドから選択される。
【００２５】
亜鉛塩（Ｂ）中のカチオンは錯体、例えば、アンモニアリガンド又は水リガンドとの錯体、特に、ハイドレートとして存在してもよい。本発明における表記を簡略化するために、リガンドは、水リガンドである場合には、一般的に省略される。
【００２６】
どのように本発明の混合物のｐＨが調整されるかによって、亜鉛塩（Ｂ）は、変換を受けてもよい。従って、例えば、酢酸亜鉛又はＺｎＣｌ２（しかしながら、これらは、ｐＨが８又は９で、水溶液環境下では、ＺｎＯ、Ｚｎ（ＯＨ）２又はＺｎＯ水溶液への変換を受ける）を使用して本発明の組成物を製造することができ、これらは、錯体、又は錯体でない状態で存在してもよい。
【００２７】
亜鉛塩（Ｂ）は、本発明の組成物中に存在し、本発明の組成物は、好ましくは、例えば、Ｘ線散乱によって測定され、例えば、１０ｎｍ〜１００μｍ、好ましくは１００ｎｍ〜５μｍの範囲の平均直径（数平均）を有する粒子の状態で、室温で固体である。
【００２８】
亜鉛塩（Ｂ）は、溶解された又は固体の又はコロイドの状態で、室温で液体である本発明の組成物中に存在する。
【００２９】
本発明の組成物は、さらに、（Ｃ）少なくとも一種のコポリマー又は好ましくは、少なくとも一種のエチレンイミンのホモポリマーを、合計で０．００１〜０．０４５質量％含み、ともに、ポリエチレンイミン（Ｃ）とも略される。
【００３０】
本発明においては、エチレンイミンのコポリマーは、エチレンイミンの一種以上の高級同族体、例えば、プロピレンイミン（２−メチルアジリジン）、１−又は２−ブチレンイミン（２−エチルアジリジン又は２，３−ジメチルアジリジン）を有し、例えば、エチレンイミンの割合に対して一種以上のエチレンイミンの同族体を、合計で０．０１〜７５ｍｏｌ％有するエチレンイミン（アジリジン）のコポリマーを意味するものとして理解される。しかしながら、好ましくは、コポリマー化された状態で、エチレンイミン及び、０．０１〜５ｍｏｌ％の範囲のエチレンイミンの同族体のみを含むようなコポリマーであり、特に、エチレンイミンのホモポリマーである。
【００３１】
本発明の実施形態の一つにおいては、エチレンイミンのコポリマー（Ｃ）は、エチレンイミンのグラフトコポリマー（Ｃ）から選択される。本発明においては、そのようなグラフトコポリマーは、エチレンイミングラフトコポリマー（Ｃ）とも呼ばれる。エチレンイミングラフトコポリマー（Ｃ）は、架橋されていても、又は架橋されていなくてもよい。
【００３２】
本発明の実施形態の一つにおいては、エチレンイミングラフトコポリマー（Ｃ）は、ポリアミドアミンをエチレンイミンでグラフト（grafting、移植）することによって得られるポリマーから選択される。
【００３３】
エチレンイミングラフトコポリマー（Ｃ）は、好ましくは、それぞれの場合、エチレンイミングラフトコポリマー（Ｃ）に対して、グラフトベースとしてのポリアミドアミン１０〜９０質量％と、グラフトとしてのエチレンイミン９０〜１０質量％から構成される。
【００３４】
ポリアミドアミンは、例えば、互いの混合物として、又はジアミンとの混合物中で、純粋な状態におけるポリアルキレンポリアミンの縮合によって得られる。
【００３５】
ポリアルキレンポリアミンは、本発明においては、分子中に少なくとも３個の塩基性窒素原子を含む化合物、例えば、ジエチレントリアミン、ジプロピレントリアミン、トリエチレンテトラミン、トリプロピレンテトラミン、テトラエチレンペンタミン、ペンタエチレンヘキサミン、Ｎ−（２−アミノエチル）−１，３−プロパンジアミン及びＮ，Ｎ’−ビス（３−アミノプロピル）エチレンジアミンを意味するものと理解される。
【００３６】
好適なジアミンは、例えば、１，２−ジアミノエタン、１，３−ジアミノプロパン、１，４−ジアミノブタン、１，６−ジアミノヘキサン、１，８−ジアミノオクタン、イソホロンジアミン、４，４’−ジアミノジフェニルメタン、１，４−ビス−（３−アミノプロピル）ピペラジン、４，９−ジオキサドデカン−１，１２−ジアミン、４，７，１０−トリオキサトリデカン−１，１３−ジアミン及び、ポリアルキレンオキシドのα，ω−ジアミノ化合物である。
【００３７】
本発明の他の実施形態においては、エチレンイミングラフトコポリマー（Ｃ）は、グラフトベースとしてのポリビニルアミンを、エチレンイミン又はエチレンイミンのオリゴマー、例えば、エチレンイミンのニ量体又は三量体でグラフトすることによって製造され得るポリマーから選択される。エチレンイミングラフトコポリマー（Ｃ）は、それぞれの場合、エチレンイミングラフトコポリマー（Ｃ）に対して、好ましくは、グラフトベースとしてのポリビニルアミン１０〜９０質量％と、グラフトとしてのエチレンイミン９０〜１０質量％を主原料とする。
【００３８】
しかしながら、好ましくは、ホモポリマーとしての少なくとも一種のポリエチレンイミン（Ｃ）が、好ましくは架橋されていない、本発明の組成物の成分として選択される。
【００３９】
本発明の特定の実施形態によると、ポリエチレンイミン（Ｃ）は、５００ｇ／ｍｏｌ〜１２５０００ｇ／ｍｏｌ、好ましくは、７５０ｇ／ｍｏｌ〜１０００００ｇ／ｍｏｌの平均分子量Ｍｗを有する。
【００４０】
本発明の実施形態の一つにおいては、ポリエチレンイミン（Ｃ）は、例えば、ゲル浸透クロマトグラフィー（ＧＰＣ）によって測定された５００〜１００００００ｇ／ｍｏｌの範囲、好ましくは６００〜７５０００ｇ／ｍｏｌの範囲、特に好ましくは、８００〜２５０００ｇ／ｍｏｌの範囲の平均分子量Ｍｗを有する。
【００４１】
本発明の実施形態の一つにおいては、ポリエチレンイミン（Ｃ）は、高分岐のポリエチレンイミンから選択される。高分岐のポリエチレンイミン（Ｃ）は、それらの高い分岐度（ＤＢ）によって特徴付けられる。分岐度は、例えば、１３Ｃ−ＮＭＲスペクトルによって、好ましくはＤ２Ｏ中で測定されることができ、以下のように定義される：
ＤＢ＝Ｄ＋Ｔ／Ｄ＋Ｔ＋Ｌ
（式中、Ｄ（デンドリチック）は、第三級アミノ基の割合に対応し、Ｌ（リニア）は、第二級アミノ基の割合に対応し、Ｔ（ターミナル）は、第一級アミノ基の割合に対応する。）
【００４２】
本発明においては、０．１〜０．９５、好ましくは０．２５〜０．９０の範囲、特に好ましくは、０．３０〜０．８０％の範囲、特に好ましくは少なくとも０．５のＤＢを有するポリエチレンイミン（Ｃ）が、高分岐ポリエチレンイミン（Ｃ）として分類される。
【００４３】
本発明においては、構造的及び分子ユニット構成を有するポリエチレンイミン（Ｃ）は、デンドリマーポリエチレンイミン（Ｃ）に分類される。
【００４４】
本発明の実施形態の一つにおいては、ポリエチレンイミン（Ｃ）は、６００〜７５０００ｇ／ｍｏｌの範囲、好ましくは８００〜２５０００ｇ／ｍｏｌの範囲の平均分子量Ｍｗを有する高分岐ポリエチレンイミン（ホモポリマー）である。
【００４５】
本発明の特定の実施形態によると、ポリエチレンイミン（Ｃ）は、デンドリマーから選択され、５００ｇ／ｍｏｌ〜１２５０００ｇ／ｍｏｌ、好ましくは７５０ｇ／ｍｏｌ〜１０００００ｇ／ｍｏｌの平均分子量Ｍｗを有する高分岐ポリエチレンイミン（ホモポリマー）である。
【００４６】
本発明の他の特定の実施形態においては、ポリエチレンイミン（Ｃ）は、６００〜７５０００ｇ／ｍｏｌの範囲、好ましくは８００〜２５０００ｇ／ｍｏｌの範囲の平均分子量Ｍｗを有する直鎖状又は実質的に直鎖状のポリエチレンイミン（ホモポリマー）である。
【００４７】
本発明の実施形態の一つにおいては、本発明の組成物は、それぞれの場合、それぞれの組成物の固体含有量に対して、化合物（Ａ）を、合計で１〜５０質量％、好ましくは、１０〜４０質量％の範囲、亜鉛塩（Ｂ）を、亜鉛として計算され、合計で０．０１〜０．４質量％、好ましくは０．０５〜０．２質量％の範囲、及び、
エチレンイミンのホモ又はコポリマー（Ｃ）を合計で、０．００１〜０．０４５質量％、好ましくは０．０１〜０．０４質量％、
任意に漂白剤（Ｄ）を、合計で、０．５〜１５質量％含む。
【００４８】
本発明の実施形態の一つにおいては、本発明の組成物は、室温で固体であり、例えば、粉末又はタブレット（tablet、錠剤、平板）である。本発明の他の実施形態においては、本発明の組成物は、室温で液体である。本発明の実施形態の一つにおいては、本発明の組成物は顆粒状の物質、液体製剤又はゲルである。
【００４９】
本発明の実施形態の一つにおいては、本発明の組成物は、それぞれの組成物の全ての固体の合計に対して、水を０．１〜１０質量％含む。
【００５０】
特定の理論を優先することを望むことなく、本発明の組成物において、亜鉛塩（Ｂ）は、ポリエチレンイミン（Ｃ）と複合化された状態で存在してもよい。
【００５１】
本発明の実施形態の一つにおいては、本発明の組成物は、ホスフェート及びポリホスフェート（ハイドロゲンホスフェートを含む）を含まず、例えば、トリナトリウムホスフェート、ペンタナトリウムトリポリホスフェート及びヘキサナトリウムメタホスフェートを含まない。本発明におけるホスフェート及びポリホスフェートについて、“含まない”は、ホスフェート及びポリホスフェートの含有量が合計で、１０ｐｐｍ〜０．２質量％の範囲（重量測定法で測定）であることを意味するものと理解されるべきである。
【００５２】
本発明の実施形態の一つにおいては、本発明の組成物は、漂白触媒として作用しない重金属化合物、特に、鉄及びビスマス化合物を含まない。本発明における重金属化合物について、“含まない”は、漂白触媒として作用しない重金属化合物の含有量が、合計で０〜１００ｐｐｍ、好ましくは１〜３０ｐｐｍの範囲（リーチング法によって測定）であることを意味するものと理解されるべきである。
【００５３】
本発明において、亜鉛を除き、少なくとも６ｇ／ｃｍ３の特定の密度を有する全ての金属は、“重金属”として分類される。特に、貴金属、及びビスマス、鉄、銅、鉛、スズ、ニッケル、カドミウム及びクロムも重金属として分類される。
【００５４】
本発明の組成物は、好ましくは、測定可能な量のビスマス化合物を含まない。従って、例えば、１ｐｐｍ未満である。
【００５５】
本発明の実施形態においては、本発明の組成物は、一種以上の漂白剤（Ｄ）、例えば、一種以上の酸素漂白剤又は一種以上の塩素含有漂白剤を含む。
【００５６】
本発明の組成物は、例えば、漂白剤（Ｄ）を０．５〜１５質量％含んでもよい。
【００５７】
好適な酸素漂白剤の例は、過ホウ酸ナトリウム（無水物、又は例えば、モノハイドレート又はテトラハイドレート、又はいわゆるジハイドレートとして）、ナトリウムペルカルボネート（無水物又は、例えば、モノハイドレートとして）、ハイドロゲンペルオキシド、ペルサルフェート、有機過酸、例えば、ペルオキシラウリン酸、ペルオキシステアリン酸、ペルオキシ−α−ナフトエ酸、１，１２−ジペルオキシドデカン二酸、過安息香酸、ペルオキシラウリン酸、１，９−ジペルオキシアゼライン酸、ジペルオキシイソフタル酸、それぞれの場合、遊離酸として、又はアルカリ金属塩として、特に、ナトリウム塩として、さらに、スルホニルペルオキシ酸及びカチオン性ペルオキシ酸である。
【００５８】
本発明の組成物は、例えば、酸素漂白剤を０．５〜１５質量％の範囲で含んでもよい。
【００５９】
好適な塩素含有漂白剤は、例えば、１，３−ジクロロ−５，５−ジメチルヒダントイン、Ｎ−Ｎ−クロロスルファミド、クロラミンＴ、クロラミンＢ、次亜塩素酸ナトリウム、次亜塩素酸カルシウム、次亜塩素酸マグネシウム、次亜塩素酸カリウム、カリウムジクロロイソシアヌレート、及びナトリウムジクロロイソシアヌレートである。
【００６０】
本発明の組成物は、例えば、塩素含有漂白剤を３〜１０質量％の範囲で含んでもよい。
【００６１】
本発明の実施形態の一つにおいては、本発明の組成物は、他の成分（Ｅ）、例えば、一種以上の界面活性剤、一種以上の酵素、一種以上のビルダー、特に、リンを含まないビルダー、一種以上のコビルダー、一種以上のアルカリ金属キャリア、一種以上の漂白剤触媒、一種以上の漂白活性化剤、一種以上の漂白安定剤、一種以上の消泡剤、一種以上の腐食抑制剤、バッファ、染料、一種以上のフレグランス、一種以上の有機溶媒、一種以上の錠剤化助剤、一種以上の崩壊剤、一種以上の増粘剤、又は一種以上の溶解促進剤を有してもよい。
【００６２】
界面活性剤の例は、特に、非イオン性界面活性剤及び、アニオン性又は双性イオン性界面活性剤と非イオン性界面活性剤との混合物である。好ましい非イオン性界面活性剤は、アルコキシル化アルコール及び、アルコキシル化脂肪族アルコール、エチレンオキシドとプロピレンオキシドのジ及びマルチブロックコポリマー、ソルビタンとエチレンオキシド又はプロピレンオキシド、アルキルグリコシド、いわゆるアミンオキシドとの反応生成物である。
【００６３】
好ましいアルコキシル化アルコール及びアルコキシル化脂肪族アルコールの例は、例えば、一般式（Ｉ）
【化１】
2019073714.tif 000002
（式中、変数は以下のように定義される：
Ｒ１    は同一又は異なっており、直鎖状Ｃ１−Ｃ１０−アルキル、好ましくはエチル、特に好ましくはメチルから選択され、
Ｒ２    は、Ｃ８−Ｃ２２−アルキル、例えば、ｎ−Ｃ８Ｈ１７、ｎ−Ｃ１０Ｈ２１、ｎ−Ｃ１２Ｈ２５、ｎ−Ｃ１４Ｈ２９、ｎ−Ｃ１６Ｈ３３又はｎ−Ｃ１８Ｈ３７から選択され、
Ｒ３    は、Ｃ１−Ｃ１０−アルキル、メチル、エチル、ｎ−プロピル、イソプロピル、ｎ−ブチル、イソブチル、第二級ブチル、第三級ブチル、ｎ−ペンチル、イソペンチル、第二級ペンチル、ネオペンチル、１，２−ジメチルプロピル、イソアミル、ｎ−ヘキシル、イソヘキシル、第二級ヘキシル、ｎ−ヘプチル、ｎ−オクチル、２−エチルヘキシル、ｎ−ノニル、ｎ−デシル又はイソデシルから選択され、
ｍ及びｎは、０〜３００の範囲であり、ｎとｍの合計は少なくとも１である。好ましくは、ｍは、１〜１００の範囲であり、ｎは、１〜３０の範囲である。）
の化合物である。
【００６４】
ここでは、一般式（Ｉ）の化合物は、ブロックコポリマー又はランダムコポリマーでもよく、好ましくはブロックコポリマーである。
【００６５】
他のアルコキシル化アルコール及びアルコキシル化脂肪族アルコールの好ましい例は、例えば、一般式（ＩＩ）
【化２】
2019073714.tif 000003
（式中、変数は以下のように定義される：
Ｒ５は    同一又は異なっており、直鎖状Ｃ１−Ｃ４−アルキルから選択され、好ましくはそれぞれの場合、同一であり、エチル、特に好ましくはメチルであり、
Ｒ４は、  Ｃ６−Ｃ２０−アルキルから選択され、特に、ｎ−Ｃ８Ｈ１７、ｎ−Ｃ１０Ｈ２１、ｎ−Ｃ１２Ｈ２５、ｎ−Ｃ１４Ｈ２９、ｎ−Ｃ１６Ｈ３３、ｎ−Ｃ１８Ｈ３７であり、
ａは、    １〜６の範囲の数であり、
ｂは、    ４〜２０の範囲の数であり、
ｄは、    ４〜２５の範囲の数である）
の化合物である。
【００６６】
ここでは、一般式（ＩＩ）の化合物は、ブロックコポリマー又はランダムコポリマー、好ましくは、ブロックコポリマーとなり得る。
【００６７】
非イオン性界面活性剤の他の例は、一般式（ＩＩＩ）
【化３】
2019073714.tif 000004
（この場合、変数は以下のように定義される：
Ｒ６    は、同一又は異なっており、水素、メチル、及びエチルから選択され、好ましくは、同一又は異なっており、メチル及び水素から選択され、
ｔ      は、１〜５０の範囲であり、
Ｒ２とＲ３は、上述で定義された通りである。）
の化合物である。
【００６８】
他の好適な非イオン性界面活性剤は、エチレンオキシド及びプロピレンオキシドから構成されるジ及びマルチブロックコポリマーから選択される。他の好適な非イオン性界面活性剤は、エトキシル化又はプロポキシル化ソルビタンエステルから選択される。アミンオキシド又はアルキルポリグリコシドも同様に好適である。他の好適な非イオン性界面活性剤の概要は、ＥＰ−Ａ０８５１０２３及びＤＥ−Ａ１９８１９１８７で知られ得る。
【００６９】
２種以上の異なる非イオン性界面活性剤の混合物も存在してもよい。
【００７０】
アニオン性界面活性剤の例は、分子あたり、１〜６個のエチレンオキシドユニットを有するＣ８−Ｃ２０−アルキルサルフェート、Ｃ８−Ｃ２０−アルキルスルホネート及びＣ８−Ｃ２０−アルキルエーテルサルフェートである。
【００７１】
本発明の実施形態の一つにおいては、本発明の組成物は、それぞれの組成物の固体含有量に対して界面活性剤を３〜２０質量％の範囲で含んでもよい。
【００７２】
本発明の組成物は、一種以上の酵素を含んでもよい。酵素の例は、リパーゼ、ヒドロラーゼ、アミラーゼ、プロテアーゼ、セルラーゼ、エステラーゼ、ペクチナーゼ、ラクターゼ及びペルオキシダーゼである。
【００７３】
本発明の組成物は、例えば、それぞれの場合、本発明の組成物の固体含有量の合計に対して、最大で５質量％、好ましくは０．１〜３質量％の酵素を含んでもよい。
【００７４】
本発明の組成物は、一種以上のビルダー、特に、ホスフェートを含まないビルダーを含んでもよい。好適なビルダーの例は、シリケート、特に、ナトリウムジシリケート、及びナトリウムメタシリケート、ゼオライト、層状シリケート、特に、式α−Ｎａ２Ｓｉ２Ｏ５、β−Ｎａ２Ｓｉ２Ｏ５、及びσ−Ｎａ２Ｓｉ２Ｏ５、クエン酸、及びそのアルカリ金属塩、コハク酸、及びそのアルカリ金属塩、脂肪酸スルホネート、α−ヒドロキシプロピオン酸、アルカリ金属マロネート、脂肪酸スルホネート、アルカリ−及びアルケニルジスクシナート、酒石酸ジアセテート、酒石酸モノアセテート、酸化スターチ、及びポリマービルダー、例えば、ポリカルボキシレート、及びポリアスパラギン酸である。
【００７５】
本発明の実施形態の一つにおいては、ビルダーは、ポリカルボキシレート、例えば、（メタ）アクリル酸ホモポリマーのアルカリ金属塩又は（メタ）アクリル酸コポリマーから選択される。
【００７６】
好適な（メタ）アクリル酸ホモポリマーのコモノマー又は（メタ）アクリル酸コポリマーは、モノエチレン性不飽和ジカルボン酸、例えば、マレイン酸、フマル酸、マレイン酸無水物、イタコン酸、及びシトラコン酸である。特に好適なポリマーは、好ましくは、２０００〜４００００ｇ／ｍｏｌ、好ましくは２０００〜１００００ｇ／ｍｏｌ、特に、３０００〜８０００ｇ／ｍｏｌの範囲の平均分子量Ｍｗを有するポリアクリル酸である。また、好適なのは、コポリマーポリカルボキシレート、特に、アクリル酸とメタクリル酸のコポリマーポリカルボキシレート、及びアクリル酸又はメタクリル酸と、マレイン酸及び／又はフマル酸のコポリマーポリカルボキシレートである。
【００７７】
モノエチレン性不飽和Ｃ３−Ｃ１０−モノ又はジカルボン酸又はその無水物、例えば、以下に、列挙された少なくとも一種の親水性又は疎水性の変性モノマーを有するマレイン酸、マレイン酸無水物、アクリル酸、メタクリル酸、フマル酸、イタコン酸、及びシトラコン酸からなる群からの少なくとも一種のモノマーのコポリマーを使用することも可能である。
【００７８】
好適な疎水性モノマーは、例えば、イソブテン、ジイソブテン、ブテン、ペンテン、ヘキセン、及びスチレン、１０個以上の炭素原子を有するオレフィン、又はそれらの混合物、例えば、１−デセン、１−ドデセン、１−テトラデセン、１−ヘキサデセン、１−オクタデセン、１−エイコセン、１−ドコセン、１−テトラコセン、及び１−ヘキサコセン、Ｃ２２−α−オレフィン、Ｃ２０−Ｃ２４−α−オレフィンの混合物及び、平均で１２〜１００個の炭素原子を有するポリイソブテンである。
【００７９】
好適な親水性モノマーは、スルホネート又はホスホネート基を有するモノマー及び、ヒドロキシル官能基又はアルキレンオキシド基を有する非イオン性モノマーである。具体例は、以下のものを含む：アリルアルコール、イソプレノール、メトキシポリエチレングリコール（メタ）アクリレート、メトキシポリプロピレングリコール（メタ）アクリレート、メトキシポリブチレングリコール（メタ）アクリレート、メトキシポリ（プロピレンオキシド‐コエチレンオキシド）（メタ）アクリレート、エトキシポリエチレングリコール（メタ）アクリレート、エトキシポリプロピレングリコール（メタ）アクリレート、エトキシポリブチレングリコール（メタ）アクリレート、及びエトキシポリ（プロピレンオキシド−コ−エチレンオキシド）（メタ）アクリレート。ここでは、ポリアルキレングリコールは、３〜５０個、特に、５〜４０個、特に、１０〜３０個のアルキレンオキシドユニットを含む。
【００８０】
ここでは、特に好ましいスルホン酸基を含むモノマーは、１−アクリルアミド−１−プロパンスルホン酸、２−アクリルアミド−２−プロパンスルホン酸、２−アクリルアミド−２−メチルプロパンスルホン酸、２−メタクリルアミド−２−メチルプロパンスルホン酸、３−メタクリルアミド−２−ヒドロキシプロパンスルホン酸、アリルスルホン酸、メタアリルスルホン酸、アリルオキシベンゼンスルホン酸、メタアリルオキシベンゼンスルホン酸、２−ヒドロキシ−３−（２−プロペニルオキシ）プロパンスルホン酸、２−メチル−２−プロペン−１−スルホン酸、スチレンスルホン酸、ビニルスルホン酸、３−スルホプロピルアクリレート、２−スルホエチルメタクリレート、３−スルホプロピルメタクリレート、スルホメタクリルアミド、スルホメチルメタクリルアミド及び上述の酸の塩、例えば、それらのナトリウム、カリウム又はアンモニウム塩である。
【００８１】
特に好ましいホスホネート基を含むモノマーは、ビニルホスホン酸及びその塩である。
【００８２】
さらに、両性のポリマーもビルダーとして使用されてもよい。
【００８３】
本発明の組成物は、それぞれの組成物の固体含有量に対して、例えば、合計で１０〜５０質量％の範囲、好ましくは最大で２０質量％のビルダーを含んでもよい。
【００８４】
本発明の実施形態の一つにおいては、本発明の組成物は、一種以上のコビルダーを含んでもよい。
【００８５】
コビルダーの例は、ホスホネート、例えば、ヒドロキシアルカンホスホネート及びアミノアルカンホスホネートである。ヒドロキシアルカンホスホネートの中では、１−ヒドロキシエタン−１，１−ジホスホネート（ＨＥＤＰ）が、コビルダーとして特に重要である。それは、好ましくはナトリウム塩として使用され、ジナトリウム塩は中性であり、テトラナトリウム塩はアルカリ性（ｐＨ９）である。好適なアミノアルカンホスホネートは、好ましくは、エチレンジアミンテトラメチレンホスホネート（ＥＤＴＭＰ）、ジエチレントリアミンペンタメチレンホスホネート（ＤＴＰＭＰ）及びそれらの高い同族体である。それらは好ましくは、中性的に反応するナトリウム塩の状態で、例えば、ＥＤＴＭＰのヘキサナトリウム塩として、又はＤＴＰＭＰのヘプタ及びオクタナトリウム塩として使用される。
【００８６】
本発明の組成物は、一種以上のアルカリキャリアを含んでもよい。アルカリ性のｐＨが要求される場合には、アルカリキャリアは、例えば、少なくとも９のｐＨを提供する。例えば、アルカリ金属カルボネート、アルカリ金属ハイドロゲンカルボネート、アルカリ金属ヒドロキシド、及びアルカリ金属メタシリケートが好適である。好ましいアルカリ金属は、それぞれの場合、カリウム、特に好ましくはナトリウムである。
【００８７】
本発明の組成物は、一種以上の漂白触媒を含んでもよい。漂白触媒は、漂白強化遷移金属塩又は遷移金属錯体、例えば、マンガン−、鉄−、コバルト−、ルテニウム−、又はモリブデン−サレン錯体、又はマンガン−、鉄−、コバルト−、ルテニウム−、又はモリブデン−カルボニル錯体から選択され得る。漂白触媒として、ニトロゲン含有トリポッドリガンドを有するマンガン、鉄、コバルト、ルテニウム、モリブデン、チタン、バナジウム及び銅錯体並びに、コバルト−、鉄−、銅−及びルテニウム−アミン錯体を使用することも可能である。
【００８８】
本発明の組成物は、一種以上の漂白活性剤、例えば、Ｎ−メチルモルホリニウム−アセトニトリル塩（“ＭＭＡ塩”）、トリメチルアンモニウムアセトニトリル塩、Ｎ−アシルイミド、例えば、Ｎ−ノナノイルスクシンイミド、１，５−ジアセチル−２，２−ジオキソヘキサハイドロ−１，３，５−トリアジン（“ＤＡＤＨＴ”）又はニトリルクワット（トリメチルアンモニウムアセトニトリル塩）を含んでもよい。
【００８９】
他の好適な漂白活性剤の例は、テトラアセチルエチレンジアミン（ＴＡＥＤ）及びテトラアセチルへキシレンジアミンである。
【００９０】
本発明の組成物は、一種以上の腐食抑制剤を含んでもよい。ここでは、金属腐食を抑制する化合物を意味するものと理解される。好適な腐食抑制剤の例は、トリアゾール、特に、ベンゾトリアゾール、ビスベンゾトリアゾール、アミノトリアゾール、アルキルアミノトリアゾール、フェノール誘導体、例えば、ヒドロキノン、ピロカテキン、ヒドロキシヒドロキノン、没食子酸、フロログルシノール又はピロガロールである。
【００９１】
本発明の実施形態の一つにおいては、本発明の組成物は、それぞれの組成物の固体含有量に対して、合計で０．１〜１５質量％の範囲の腐食抑制剤を含む。
【００９２】
本発明の組成物は、一種以上のビルダー、例えば、ナトリウムサルフェートを含んでもよい。
【００９３】
本発明の組成物は、例えば、シリコンオイル及びパラフィンオイルから選択される一種以上の消泡剤を含んでもよい。
【００９４】
本発明の実施形態の一つにおいては、本発明の組成物は、それぞれの組成物の固体含有量に対して、合計で０．０５〜０．５質量％の範囲の消泡剤を含む。
【００９５】
本発明の実施形態の一つにおいては、本発明の組成物は、一種以上の追加の酸の塩、例えば、メタンスルホン酸のナトリウム塩を含んでもよい。
【００９６】
本発明の実施形態の一つにおいては、本発明の組成物は、５〜１４、好ましくは８〜１３の範囲のｐＨを有する。
【００９７】
本発明はさらに、食器及び調理器具の機械洗浄用の本発明の組成物の使用方法に関する。
【００９８】
本発明においては、挙げられる調理器具は、例えば、鍋、パン、キャセロール、金属製品、例えば、スキマー、魚おろし器、及びにんにくつぶし器である。
【００９９】
好ましくは、装飾されていても装飾されていなくてもよい少なくとも１つのガラス表面を有する物品を機械洗浄するために本発明の組成物を使用することである。これに関連して、本発明において、ガラス製の表面は、当物品が、大気中の空気と接触し、その物品を使用するときに汚れる可能性のあるガラス製の少なくとも一部分を有することを意味するものとして理解される。従って、当物品は、飲料用グラス又はガラス製の皿のように、基本的にガラス製の物品でもよい。しかしながら、それらは、例えば、他の材料でできている独立した構成要素を有する蓋、例えば、金属製の縁と取っ手を有する鍋の蓋であってもよい。
【０１００】
ガラス製の表面は装飾、例えば、着色され、印刷されていてもよく、又は装飾されていなくてもよい。
【０１０１】
“ガラス”の語は、任意のガラス、例えば、鉛ガラス、特にソーダライムガラス、クリスタルガラス、及びホウケイ酸ガラスを含む。
【０１０２】
好ましくは、機械洗浄は、食器洗い機（自動食器洗い）を使用する洗浄動作である。
【０１０３】
本発明の実施形態の一つにおいては、本発明の少なくとも一種の組成物は、飲料用グラス、ガラス製花瓶、及び調理用ガラス容器を機械洗浄するために使用される。
【０１０４】
本発明の実施形態の一つにおいては、ドイツ硬度１〜３０°、好ましくは、ドイツ硬度２〜２５°の範囲の硬度を有する水が洗浄用に使用され、ドイツ硬度は、特にカルシウム硬度を意味するものとして理解される。
【０１０５】
本発明の組成物が機械洗浄用に使用される場合には、少なくとも一部にガラス製の表面を有する物品が機械洗浄を繰り返されるときでさえも、少なくとも一部にガラス製の表面を有する物品が、ひどく汚れたカトラリー又は食器と一緒に洗浄される場合のみに、ガラス腐食に対する非常に低い傾向が観察される。さらに、金属製品と一緒に、例えば、ポット、鍋、にんにくつぶし器と一緒にガラスを洗浄することにとって、本発明の組成物を使用することは非常に害が少ない。
【０１０６】
本発明はさらに、本発明の製造方法とも略される、本発明の組成物の製造方法を提供する。本発明の製造方法を行うために、手順は、例えば、互いに混合すること、例えば、
（Ａ）ＭＧＤＡ、ＧＬＤＡ及びそれらの塩から選択される少なくとも一種の化合物、
（Ｂ）少なくとも一種の亜鉛塩、
（Ｃ）エチレンイミンの少なくとも一種のホモ又はコポリマー
及び、任意に漂白剤（Ｄ）及び／又は他の成分（Ｅ）を、一以上の工程で、水の存在下で攪拌すること、及び、その後、水を完全に又は少なくとも部分的に除去することを含んでもよい。化合物（Ａ）、亜鉛塩（Ｂ）、ポリエチレンイミン（Ｃ）及び任意に漂白剤（Ｄ）及び／又は他の成分（Ｅ）は、好ましくは、ここでは、上述された割合で使用される。
【０１０７】
化合物（Ａ）、亜鉛塩（Ｂ）及びポリエチレンイミン（Ｃ）及び漂白剤（Ｄ）及び他の成分（Ｅ）は、上で定義されている。
【０１０８】
本発明の実施形態の一つにおいては、水が少なくとも部分的に除去される前に、本発明の組成物のための一種以上の他の成分（Ｅ）、例えば、一種以上の界面活性剤、一種以上の酵素、一種以上のビルダー、特に、ホスホラスを含まないビルダー、一種以上のコビルダー、一種以上のアルカリキャリア、一種以上の漂白触媒、一種以上の漂白活性剤、一種以上の漂白安定剤、一種以上の消泡剤、一種以上の腐食抑制剤、バッファ、又は染料の中で混合することが可能である。
【０１０９】
一実施形態においては、手順は、水を完全に又は部分的に、例えば、０〜５質量％の範囲の残留湿気となるまで、蒸留によって、特に噴霧乾燥、噴霧造粒又は圧縮によって、本発明の組成物から、水を除去することを含む。
【０１１０】
本発明の他の実施形態においては、
（Ａ）ＭＧＤＡ、ＧＬＤＡ及びそれらの塩から選択される少なくとも一種の化合物、及び
（Ｃ）エチレンイミンの少なくとも一種のホモ又はコポリマー
は、最初に水の存在下で混合され、その後、水が完全に、又は少なくとも部分的に除去され、その後、亜鉛塩（Ｂ）と共に、水と共に、又は水を含まずに、及び任意に、一種以上の漂白剤と共に、又は一種以上の他の成分（Ｅ）と共に混合される。
【０１１１】
本発明の実施形態の一つにおいては、水は、０．３〜２ｂａｒの範囲の圧力で、完全に又は部分的に除去される。
【０１１２】
本発明の実施形態の一つにおいては、水は、６０〜２２０℃の範囲の温度で、完全に又は部分的に除去される。
【０１１３】
本発明の製造方法によって、本発明の組成物は容易に得られることができる。
【０１１４】
本発明の組成物の洗浄は、液体又は固体状態で、単相又は多相で、タブレットとして、又は他の計量単位の状態で、パッケージされ又は、パッケージされていない状態で提供され得る。液体組成物の水含有量は、３５〜９０％の水で変化し得る。
【実施例】
【０１１５】
本発明は実施例によって説明される。
【０１１６】
概論：家庭用の食器洗い機における試験片の最初の洗浄に続いて、計量し、ガラスの視覚的評価をする後まで、試験片は、試験片の質量及び／又は視覚的評価が歪められないように清潔な綿の手袋を使用して取り扱われるのみであることが確保された。
【０１１７】
本発明の範囲内においては、別段に明記されない限り、％及びｐｐｍは常に、質量％及び質量ｐｐｍであり、本発明の組成物の場合には、合計固体含有量に基づいている。
【０１１８】
Ｉ．本発明の組成物の製造
Ｉ．１  ベース混合物の製造
初めに、表１に記載の供給物質が含有されるベース混合物が製造された。供給物質は乾燥状態で混合された。
【０１１９】
【表１】
2019073714.tif 000005
【０１２０】
注：全ての量的データの単位はｇである。
略称：
ＭＧＤＡ：トリナトリウム塩としてのメチルグリシンジ酢酸
ＴＡＥＤ：Ｎ，Ｎ，Ｎ’，Ｎ’−テトラアセチルエチレンジアミン
ＨＥＤＰ：ヒドロキシエタン（１，１−ジホスホン酸）のジナトリウム塩
【０１２１】
Ｉ．２  本発明の組成物の製造
１００ｍｌビーカー中に、２０ｍｌの蒸留水が入れられ、以下のものが攪拌しながら連続して加えられた；
表２（又は３）に記載の亜鉛塩（Ｂ．１）又は（Ｂ．２）
表２（又は３）に記載のポリエチレンイミン（Ｃ．１）、（Ｃ．２）又は（Ｃ．３）
混合物が室温で１０分間攪拌された。３０ｍｌの水に溶解されたＭＧＤＡトリナトリウム塩（Ａ．１）は、その後、表２（又は３）に加えられた。これは、はっきりと透明な溶液を与えた。水が蒸留された。その後、表２（又は３）に記載のベース混合物が加えられ、乾燥成分が混合された。
【０１２２】
これは、表２（又は３）に従って試験された本発明に記載の組成物を与えた。
【０１２３】
比較組成物を製造するために、手順は、亜鉛塩（Ｂ）又はポリエチレンイミン（Ｃ）又は両方が省かれることを除き類似していた。
【０１２４】
“連続的に動作する食器洗い機”試験において（又は浸漬試験において）、ベース混合物の対応するフラクション（fraction、留分）が、（Ａ．１）、（Ｂ）又は（Ｃ）の水溶液とは別に加えられた場合に、同一の量の活性成分を有する乾燥された組成物が試験されたときと同一の結果が得られた。従って、追加の順序の問題ではない。
【０１２５】
（Ｂ．１）：ＺｎＳＯ４・７Ｈ２Ｏ。量は亜鉛に基づいている。
【０１２６】
（Ｂ．２）：ＺｎＯ。量は亜鉛に基づいている。
【０１２７】
（Ｃ．１）：ポリエチレンイミンホモポリマー  Ｍｗ８００ｇ／ｍｏｌ、ＤＢ＝０．６３
（Ｃ．２）：ポリエチレンイミンホモポリマー  Ｍｗ５０００ｇ／ｍｏｌ、ＤＢ＝０．６７
（Ｃ．３）：ポリエチレンイミンホモポリマー  Ｍｗ２５０００ｇ／ｍｏｌ、ＤＢ＝０．７０
【０１２８】
ＩＩ．ガラスの機械洗浄用の本発明の組成物及び比較組成物の使用方法
【０１２９】
本発明の組成物及び比較組成物の試験は、以下のように行われた。
【０１３０】
ＩＩ．１  連続動作する食器洗い機による試験方法
食器洗い機：  Ｍｉｅｌｅ  Ｇ  １２２２  ＳＣＬ
プログラム：  ６５℃（予備洗浄を含む）
食器：        ３個“ＧＩＬＤＥ”シャンパングラス、３個“ＩＮＴＥＲＭＥＺＺＯ”ブランデーグラス
【０１３１】
洗浄(cleaning、クリーニング)のために、グラスが食器洗い機の上部の食器かごの中に配置された。
【０１３２】
使用される食器洗浄用組成物は、それぞれの場合、１８ｇの本発明の組成物又は表２に記載の比較組成物であり、表２は、それぞれの場合、個々に活性成分（Ａ．１）、任意に（Ｂ）、任意に（Ｃ）及び本発明の組成物のベース混合物を明示している。洗浄は、６５℃のクリアリンス（clear-rinse）温度で行われた。水の硬度は、それぞれの場合、０〜２°ドイツ硬度の範囲であった。
【０１３３】
洗浄(washing,ウォッシング)は、それぞれの場合、５０洗浄サイクル行われ、すなわち、プログラムは５０ｘ実行させておかれた。５０洗浄サイクルの後、評価は、重量測定法で、及び視覚的に行われた。グラスの質量は、最初の洗浄サイクルが開始される前と、最後の洗浄サイクルの後の乾燥後に測定された。質量損失は、２つの値の差である。
【０１３４】
重量測定評価と同様に、多孔板の背後からの光を用いる暗室における、１００サイクル後の食器の視覚的評価は、１（非常に悪い）〜５（非常に良い）の評価尺度を用いて与えられた。これに関連して、グレードは、斑状の腐食／曇り及び／又は線腐食のそれぞれの場合で測定された。
【０１３５】
ＩＩ．２  浸漬試験方法
装置：
接触式温度計のための孔がある蓋を有するステンレス鋼鍋（容積約６リットル）
ステンレス鋼鍋のための取り付け部（台、mounting）を有するメッシュベース挿入物（ｍesh base insert）
スターラーロッド、接触式温度計、孔を有するゴム栓を有する磁気攪拌機
【０１３６】
実験条件：
温度：７５℃
時間：７２時間
蒸留水又は所定の水硬度を有する水（“硬水”）５リットル
使用される試験片は、それぞれの場合、リビー社（ＮＬ）のシャンパングラスとブランデーグラスであった。原料：ソーダライムガラス
【０１３７】
実験手順：
予備処理の目的のために、試験片は最初に、どんな汚れも除去するために、１ｇの界面活性剤（ｎ−Ｃ１８Ｈ３７（ＯＣＨ２ＣＨ２）１０ＯＨ）及び、２０ｇのクエン酸を使用して家庭用食器洗い機（Ｂｏｓｃｈ  ＳＧＳ５６０２）で洗浄された。試験片は乾燥され、それらの質量が測定され、それらはメッシュベース挿入物に固定された。
【０１３８】
ステンレス鋼鍋は、５．５リットルの水で満たされ、本発明の組成物又は比較組成物１８ｇが加えられた。表３は、それぞれの場合、個々に、活性成分（Ａ．１）、任意に（Ｂ）、任意に（Ｃ）、本発明の組成物又は比較組成物のベース混合物を明示する。この方法で得られた洗浄用液体は、毎分５５０回転で磁気攪拌機を使用して攪拌された。接触式温度計が挿入され、実験中は水が全く蒸発できないようにステンレス鋼鍋は蓋で覆われた。７５℃まで加熱され、２個の試験片とともに、メッシュベース挿入物がステンレス鋼鍋の中に配置され、試験片が完全に液体の中に浸漬されたことが保証された。
【０１３９】
実験の最後に、試験片が取り出され、流れる蒸留水の下で濯がれた。その後、試験片は、再び、５５℃のプログラムを使用して、どんな沈殿物をも除去するために、界面活性剤（ｎ−Ｃ１８Ｈ３７（ＯＣＨ２ＣＨ２）１０ＯＨ）１ｇと、クエン酸２０ｇからなる組成物を使用して、家庭用食器洗い機で洗浄された。
【０１４０】
重量摩耗を評価するために、乾燥した試験片の質量が測定された。その後、試験片の視覚的評価が行われた。このために、試験片の表面が、線腐食（ガラスリッジ（glass ridges））、曇り腐食（シート状の曇り）に関して評価された。
【０１４１】
評価は以下の表（scheme、スキーム）に従って行われた。
【０１４２】
線腐食：
Ｌ５：視認可能な線がない
Ｌ４：非常に少ない範囲におけるわずかな線形成、細い線腐食
Ｌ３：少ない範囲における線腐食
Ｌ２：いくつかの範囲における線腐食
Ｌ１：ひどい線腐食
ガラス曇り
Ｌ５：視認可能な曇りがない
Ｌ４：非常に少ない範囲におけるわずかな曇り
Ｌ３：少ない範囲における曇り
Ｌ２：いくつかの範囲における曇り
Ｌ１：実質的にガラス表面全体にわたるひどい曇り
【０１４３】
評価時に、中間のグレード（例えばＬ３〜４）も認められた。
【０１４４】
水の代わりに、ドイツ硬度２°を有する硬水が試験のために使用された場合、同様に、本発明の組成物は、ガラス腐食の抑制に関し、常に対応する比較組成物よりも優れていた。
【０１４５】
ＩＩ．３  結果
結果は表２及び３にまとめられている。
【０１４６】
【表２】
2019073714.tif 000006
【０１４７】
【表３】
2019073714.tif 000007
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
それぞれの場合、それぞれの組成物の固体含有量に対して、
（Ａ）メチルグリシンジ酢酸（ＭＧＤＡ）のナトリウム塩及びグルタミン酸ジアセテート（ＧＬＤＡ）のナトリウム塩から選択される少なくとも一種の化合物を、合計で、１〜５０質量％の範囲、
（Ｂ）亜鉛として記載される少なくとも一種の亜鉛塩を、合計で、０．０１〜０．４質量％の範囲、
（Ｃ）エチレンイミンのホモ−又はコポリマーを、合計で、０．００１〜０．０４５質量％の範囲、及び
（Ｄ）任意に、漂白剤を、０．５〜１５質量％
を含む、８〜１３の範囲のｐＨを有する組成物。
【請求項２】
前記組成物が、ホスフェート及びポリホスフェートを含まないことを特徴とする請求項１に記載の組成物。
【請求項３】
（Ｃ）が、直鎖状又は分岐状のエチレンイミンのホモポリマー及び、エチレンイミンのグラフトコポリマーから選択されることを特徴とする請求項１又は２に記載の組成物。
【請求項４】
前記亜鉛塩が、ＺｎＣｌ２、ＺｎＳＯ４、酢酸亜鉛、クエン酸亜鉛、Ｚｎ（ＮＯ３）２、Ｚｎ（ＣＨ３ＳＯ３）２及び、没食子酸亜鉛からなる群から選択されることを特徴とする請求項１〜３の何れか１項に記載の組成物。
【請求項５】
前記組成物が、室温で固体であることを特徴とする請求項１〜４の何れか１項に記載の組成物。
【請求項６】
前記組成物が、水を、０．１〜１０質量％の範囲で含むことを特徴とする請求項１〜５の何れか１項に記載の組成物。
【請求項７】
前記組成物が、酸素漂白剤及び塩素含有漂白剤から選択される漂白剤（Ｄ）を、０．５〜１５質量％含むことを特徴とする請求項１〜６の何れか１項に記載の組成物。
【請求項８】
食器及び調理器具を機械洗浄するための請求項１〜７の何れか１項に記載の組成物の使用方法。
【請求項９】
装飾されていてもよく、又は装飾されていなくてもよい少なくとも一つのガラス表面を有する物品を機械洗浄するための請求項１〜７の何れか１項に記載の組成物の使用方法。
【請求項１０】
前記機械洗浄が、食器洗い機を使用するウォッシング又はクリーニング動作であることを特徴とする請求項８又は９に記載の使用方法。
【請求項１１】
請求項１〜７の何れか１項に記載の少なくとも１種の組成物が、飲料用グラス、ガラス製の花瓶及び料理用のガラス製容器の機械洗浄のために使用されることを特徴とする請求項８〜１０の何れか１項に記載の使用方法。
【請求項１２】
（Ａ）メチルグリシンジ酢酸（ＭＧＤＡ）のナトリウム塩及びグルタミン酸ジアセテート（ＧＬＤＡ）のナトリウム塩から選択される少なくとも一種の化合物、
（Ｂ）少なくとも一種の亜鉛塩、
（Ｃ）少なくとも一種のエチレンイミンのホモ−又はコポリマー、
（Ｄ）及び、任意に、酸素漂白剤及び塩素含有漂白剤から選択される少なくとも一種の漂白剤、
及び、任意に他の成分が、水の存在下で、１つ以上の工程で互いに混合され、その後、前記水が除去されることを特徴とする請求項１〜７の何れか１項に記載の組成物の製造方法。
【請求項１３】
前記水が、噴霧乾燥、噴霧造粒又は圧縮によって除去されることを特徴とする請求項１２に記載の方法。
【外国語明細書】
2019073714.tif 000008
2019073714.tif 000009
2019073714.tif 000010
2019073714.tif 000011
2019073714.tif 000012
2019073714.tif 000013
2019073714.tif 000014
2019073714.tif 000015
2019073714.tif 000016
2019073714.tif 000017
2019073714.tif 000018
2019073714.tif 000019
2019073714.tif 000020
2019073714.tif 000021
2019073714.tif 000022
2019073714.tif 000023
2019073714.tif 000024
2019073714.tif 000025
2019073714.tif 000026
2019073714.tif 000027
2019073714.tif 000028
2019073714.tif 000029